(57)【要約】【課題】  利便性が向上した画像処理装置及び画像処理システムを提供する。【解決手段】  画像処理制御部２２により、画像読取手段２５，２６によりシートの表裏両面画像を読み取ると共に、読み取った両面画像データのうちの一方の画像データを他方の画像データを用いて処理する第１の画像処理と、画像読取手段２７によりシートの片面画像を読み取ると共に、読み取った片面画像データを処理する第２の画像処理とを選択的に行うようにする。【選択図】      図２
2006237999.tif 000002
【特許請求の範囲】
【請求項１】
シートの画像を読み取り、読み取った画像データを処理する画像処理装置において、
シートの画像を読み取る画像読取手段と、
前記画像読取手段によりシートの表裏両面画像を読み取ると共に、前記読み取った両面画像データのうちの一方の画像データを他方の画像データを用いて処理する第１の画像処理と、前記画像読取手段によりシートの片面画像を読み取ると共に、前記読み取った片面画像データを処理する第２の画像処理とを選択的に行う画像処理制御部と、
を備えたことを特徴とする画像処理装置。
【請求項２】
前記画像読取手段として、シートの表裏両面の画像を読み取る両面画像読取手段と、シートの片面画像を読み取る片面画像読取手段とを備え、
前記画像処理制御部は、前記両面画像読取手段によってシートの画像を読み取る場合には前記両面画像読取手段によりシートの表裏両面画像を読み取って得た両面画像データを用いて前記第１の画像処理を行い、前記片面画像読取手段によってシートの画像を読み取る場合には前記片面画像読取手段により読み取って得た片面画像データを用いて前記第２の画像処理を行うことを特徴とする請求項１に記載の画像処理装置。
【請求項３】
前記画像読取手段として、シートの片面画像を読み取る片面画像読取手段を備え、
前記画像処理制御部は、前記片面画像読取手段により順次シートの表裏両面画像を読み取って両面画像データを得るモードが設定されたときには前記両面画像データを用いて前記第１の画像処理を行い、前記片面画像読取手段により片面画像データを得るモードが設定されたときには前記片面画像データを用いて前記第２の画像処理を行うことを特徴とする請求項１に記載の画像処理装置。
【請求項４】
前記画像処理制御部は、前記画像読取手段によりシートの表裏両面画像のうち所定領域を読み取る際には、前記第２の画像処理により画像処理を行うことを特徴とする請求項１に記載の画像処理装置。
【請求項５】
前記第１の画像処理は、前記両面画像データを用いて原稿の裏写りを軽減させた画像データを得る画像処理であり、前記第２の画像処理は前記片面画像データを用いて原稿の裏写りを軽減させた画像データを得る画像処理であることを特徴とする請求項１乃至４のいずれか１項に記載の画像処理装置。
【請求項６】
バインダー穴を有するシートの画像を読み取った際、前記第１の画像処理及び前記第２の画像処理により、バインダー穴画像の消去を行なうことを特徴とする請求項１乃至４のいずれか１項に記載の画像処理装置。
【請求項７】
前記画像処理制御部は、前記画像読取手段により読み取った画像データに基づきシートの大きさ、或はシートの傾きを検出することを特徴とする請求項１乃至４のいずれか１項に記載の画像処理装置。
【請求項８】
前記請求項１乃至７のいずれか１項に記載の画像処理装置を備えたことを特徴とする画像処理システム。
【発明の詳細な説明】
【技術分野】
【０００１】
本発明は、シートの画像を読み取り、読み取った画像データを処理する画像処理装置及び画像処理システムに関し、特に表裏の画像データを用いて画像処理を行うものに関する。
【背景技術】
【０００２】
従来、シートの画像を読み取る画像読取装置において、シートである原稿の画像を読み取った際、読み取った原稿の裏面にも画像がある場合、この原稿の裏面画像が裏写りすることがある。そして、このような裏写りした裏面画像を軽減するため、読み取った画像データを処理する画像処理装置及び画像処理システムがある。
【０００３】
ここで、このような画像処理装置としては、原稿の表裏両面の画像データを用いて裏写りを軽減する処理を行うものがある（例えば、特許文献１参照。）。
【０００４】
【特許文献１】特開２００３−２８３８２４号公報
【発明の開示】
【発明が解決しようとする課題】
【０００５】
ここで、このような画像処理装置及び画像処理システムにおいては、原稿の表裏両面の画像を読み取るため、原稿両面の画像を読み取ることが可能な両面画像読取手段や、原稿台ガラス上に静置した原稿から画像を読み取る片面画像読取手段を備えている。なお、片面画像読取手段により原稿の表裏両面の画像を読み取る場合は、一旦原稿の表面の画像を読み取った後、原稿の載せ換えを行うことにより、裏面画像の読み取りを行うようにしている。
【０００６】
ところで、両面画像読取手段により原稿の表裏両面の画像を読み取る際、表裏両面の領域指定スキャンが設定された場合には、後述するように物理的に表裏が対応した画像データを取得することができないことから、表裏両面の画像データを用いた画像処理を実行することができなくなり、この場合には、画像処理を片面の画像データを用いた画像処理に変更する必要がある。
【０００７】
そして、このように画像処理を、表裏両面の画像データを用いた画像処理から片面の画像データを用いた画像処理に変更するためには、ユーザーが設定を変更しなければならず、利便性が低下するという問題があった。
【０００８】
そこで、本発明は、このような現状に鑑みてなされたものであり、利便性が向上した画像処理装置及び画像処理システムを提供することを目的とするものである。
【課題を解決するための手段】
【０００９】
本発明は、シートの画像を読み取り、読み取った画像データを処理する画像処理装置において、シートの画像を読み取る画像読取手段と、前記画像読取手段によりシートの表裏両面画像を読み取ると共に、前記読み取った両面画像データのうちの一方の画像データを他方の画像データを用いて処理する第１の画像処理と、前記画像読取手段によりシートの片面画像を読み取ると共に、前記読み取った片面画像データを処理する第２の画像処理とを選択的に行う画像処理制御部と、を備えたことを特徴とするものである。
【発明の効果】
【００１０】
本発明のように、読み取った両面画像データのうちの一方の画像データを他方の画像データを用いて処理する第１の画像処理と、読み取ったシートの片面画像データを画像処理する第２の処理とを選択的に行うようにすることにより、両面の画像データを用いた画像処理と片面の画像データを用いた画像処理をユーザーが意識すること無く切り替えることが可能となり、ユーザーの利便性が向上する。
【発明を実施するための最良の形態】
【００１１】
以下、図面を参照して本発明を実施するための最良の形態を詳細に説明する。
【００１２】
図１は、本発明の実施の形態に係る画像処理装置の概観斜視図であり、この画像処理装置１０は、ＡＤＦユニット１１と、フラットベッドユニット１２とを備えている。ここで、ＡＤＦユニット１１はシートである原稿の表裏両面が読み取り可能な原稿移動型読み取り装置であり、原稿表面を読み取る表面読み取りセンサと、原稿裏面を読み取る裏面読み取りセンサとを備えている。また、フラットベッドユニット１２は原稿の片面のみ読み取り可能なセンサ移動型読み取り装置であり、移動型の読み取りセンサを備えている。
【００１３】
図２は、このような画像処理装置１０のシステムブロック図であり、画像処理装置１０は、情報を伝達するシステムバス２１と、読み取り動作処理や、後述する図６で示す切り替え処理などをプログラムに従って実際に実行するＣＰＵ２２と、読み取り動作処理や切り替え処理などの処理方法のプログラム等を格納するＲＯＭ２３と、画像データを一時的に蓄積するＲＡＭ２４と、ＡＤＦユニット１１内に設けられた表面読み取りセンサ２５及び裏面読み取りセンサ２６と、フラットベッドユニット１２内に設けられた移動型の読み取りセンサ２７と、原稿の搬送やフラットベッド読み取りセンサ２７の移動を行うモータ２８を有している。
【００１４】
次に、画像処理装置１０の両面画像読取手段であるＡＤＦユニット１１によって原稿の表裏両面画像を読み取る場合の裏写り軽減処理について、図３を用いて説明する。
【００１５】
なお、図３の（ａ）は、裏面読み取りセンサ２６によって読み取った原稿裏面の画像、（ｂ）は表面読み取りセンサ２５によって読み取った原稿表面の画像であり、原稿裏面の画像（以下、裏面画像という）３１にはＢというアルファベットが書かれており、原稿表面の画像（以下、表面画像という）３２にはＣというアルファベットが書かれている。そして、裏面画像３１には表面画像３２のＣというアルファベットが、また表面画像３２には裏面画像３１のＢというアルファベットが、それぞれ裏写りしている。
【００１６】
この場合、裏写り軽減処理は、以下の３つのステップで処理が行われる。
【００１７】
まず、例えば表面画像３２を処理する場合、裏面画像３１に原稿の厚さや材質等に応じた裏写りする率（透過率）を掛け、表面画像３２に裏写りするであろう（ｃ）に示す画像３３（鏡面裏写り予想画像）を作成する（ステップ１）。
【００１８】
次に、表面画像３２との方向を揃えるため裏写り画像３３に対して左右反転処理を行い、裏面から表面への予想される裏写りを表す、（ｄ）に示す裏写り予想画像３４を作成する（ステップ２）。この後、この裏写り予想画像３４を、（ｂ）に示す表面画像３２から引き算する（ステップ３）。そして、このような裏写り軽減処理が完了すると、結果は、（ｅ）に示すようなＢというアルファベットが薄い画像３５が得られる。
【００１９】
次に、画像処理装置１０の片面画像読取手段であるフラットベッドユニット１２によって原稿画像の片面画像を読み取る場合の裏写り軽減処理について、図４を用いて説明する。
【００２０】
なお、図４の（ａ）は、文字‘Ｃ’が書かれた多値画像４１であり、この多値画像４１には文字‘Ｂ’の左右反転画像が薄い濃度で裏写りしている。ここで、この多値画像４１のヒストグラム４２を取ると、図４の（ｂ）に示すように表面に書かれた色の濃い濃度４５（画像４１における文字‘Ｃ’の濃度）と、裏写りしている箇所の色である薄い濃度４６と、原稿背景である非常に薄い濃度４７が３つのピークとして検出できる。
【００２１】
そこで、図４の（ｃ）に示す裏写り軽減テーブル４４を用いて、符号４８に示す元の多値画像４１の裏写りと思われる一定濃度以下の色を原稿背景色に変換すると、一定の濃度以下の色は原稿背景色と同じになり、この結果、画像は図４の（ｄ）に示すように裏写りのない画像４３となる。
【００２２】
ところで、ＡＤＦユニット１１によって原稿の表裏両面画像を読み取る方法としては、両面領域指定スキャンがある。ここで、このような両面領域指定スキャンの場合、両面を読み取る場合において、例えば図５に示すように左上端を原点として指定された領域５１，５２を読み取ろうとすると、図５で示す通り物理的に表裏対応した位置の画像を取得できない。
【００２３】
したがって、このような両面領域指定スキャンの場合には、ＡＤＦユニット１１による両面読み取りでありながら、既述した図３に示す、読み取って得た両面画像データのうちの一方の画像データを他方の画像データを用いて処理する第１の画像処理が行えない場合がある。
【００２４】
そこで、このような両面領域指定スキャンにより原稿画像を読み取った場合、第１の画像処理が行えない場合には、図４に示す原稿の片面画像を読み取ると共に、読み取って得た片面画像データを処理する第２の画像処理に切り替える処理を行う必要が生じる。
【００２５】
次に、このような切り替え処理を含む画像処理装置１０の画像処理動作を図６に示すフローチャートを用いて説明する。なお、この処理は、画像読み取り装置１０内に搭載された画像処理制御部であるＣＰＵ２２で実行される。
【００２６】
まず、表面画像読み取りセンサ（表面画像読み取りセンサ２５もしくは、フラットベッド読み取りセンサ２７）から取得された表面画像を受け取り（Ｓ６０１）、ＲＡＭ２４に蓄積する。次に、受け取った表面画像がフラットベッドユニット１２からの画像かどうかを判断し（Ｓ６０２）、受け取った表面画像がフラットベッドユニット１２で読み取られた画像でないと判断したならば（Ｓ６０２のＮ）、裏面の画像データを取得することが可能と判断し、次に領域指定がなされているか否かを判断する（Ｓ６０３）。
【００２７】
ここで、領域指定がされていなければ（Ｓ６０３のＮ）、表裏両面の画像データを用いた画像処理（第１の画像処理）が行えるため、次に裏面読み取りセンサ２６から取得された裏面画像を受け取り（Ｓ６０４）、画像をＲＡＭ２４に蓄積する。そして、この後、この裏面画像を用い、既述した図３で示した画像処理を表面画像に対して行い、さらに同様にして裏面画像に対しても、このような表裏両面を用いた画像処理を行う（Ｓ６０５）。
【００２８】
一方、表面画像がフラットベッドユニット１２からの画像と判断した場合（Ｓ６０２のＹ）、或は領域指定がされていたならば（Ｓ６０３のＹ）、同じ領域の表裏両面の画像データを取得できないことから、ＲＡＭ２４に蓄積されている表面（片面）の画像データだけを用いて図４で示した片面の画像データを用いた画像処理（第２の画像処理）を行う（Ｓ６０６）。
【００２９】
そして、この後、設定が、両面の画像データを取得する設定で、かつ領域指定が設定されているかどうかを判別する（Ｓ６０７）。ここで、両面の画像データを取得する設定で、かつ領域指定が設定されていない場合には（Ｓ６０７のＮ）、フラットベッドユニット１２によるスキャンと判断し、処理を終了する。なお、この場合、この後、原稿の載せ換えを行い、再度、フラットベッド読み取りセンサ２７による原稿裏面の画像の読み取りを行う。
【００３０】
一方、両面の画像データを取得する設定で、かつ領域指定が設定されていたならば（Ｓ６０７のＹ）、裏面の画像データも取得可能なので、裏面画像の画像処理を行うため、まず裏面読み取りセンサ２６から取得された裏面画像を受け取り（Ｓ６０８）、画像をＲＡＭ２４に蓄積する。そして、この後、ＲＡＭ２４に蓄積された裏面画像データだけを用いて図４で示した片面の画像データを用いた画像処理（第２の画像処理）を行い（Ｓ６０９）、処理を終了する。
【００３１】
なお、図５において、Ｓ６０２及びＳ６０３の処理は、第１及び第２の画像処理を切り替える処理に相当し、Ｓ６０５、Ｓ６０６及びＳ６０９で行う処理は裏写りを軽減する処理に相当する。即ち、ＣＰＵ２２は第１の画像処理と第２の画像処理とを自動的に選択して実行する。
【００３２】
このように、両面画像を読み取って得た両面画像データのうちの一方の画像データを他方の画像データを用いて画像処理する第１の画像処理と、片面画像を読み取って得た片面画像データを画像処理する第２の画像処理とをＣＰＵ２２が選択的に行うようにすることにより、ＡＤＦユニット１１及びフラットベッドユニット１２を備えた画像処理装置１０において、第１の画像処理と第２の画像処理をユーザーが意識すること無く切り替えることが可能となり、ユーザーの利便性が向上する。
【００３３】
ところで、これまでは画像処理装置１０における処理動作として、裏写り軽減処理を例にあげて説明を行ったが、本発明に係る画像処理装置１０を用いることにより、画像からバインダー穴を消去する処理、原稿の大きさを検出する処理及び原稿の傾きを検出する処理を行うことができる。
【００３４】
次に、このような画像処理装置１０における他の処理動作について説明する。
【００３５】
まず、画像からバインダー穴を消去する画像処理について説明する。
【００３６】
バインダー穴を有する原稿の画像を読み取った場合、バインダー穴画像は表裏の同じ位置に必ず出来る。そこで、既述した図３に示す第１の画像処理のように、裏面の画像データを左右反転させ、同じ位置に出来た黒い穴画像を表面の画像データから除去することによって表裏を用いたバインダー穴画像消去処理を行うことができる。また、片面の画像データを用いたバインダー穴画像消去処理は、原稿の左右上下端から指定距離内に存在する黒色の円形画像を、図４に示す第２の画像処理により消去する等の処理を行なう。
【００３７】
次に、原稿の大きさを検出する処理について説明する。
【００３８】
表裏どちらかの面において原稿背景色が暗いなどの理由によって原稿の大きさが分からない場合には、原稿の大きさは表裏で変わらないことから、まず表裏両面の画像データから原稿の輪郭を抽出する。次に、裏面の原稿の輪郭を左右反転させ、表面の原稿輪郭と左右反転された裏面の原稿の輪郭との論理和を求める。これにより、表裏両面の画像データを用いた原稿の大きさを検出することが出来る。
【００３９】
次に、原稿の傾きを検出する処理について説明する。
【００４０】
原稿の傾きを検出する場合は、上記原稿の大きさを検出する処理と同様、表裏両面の画像データから原稿の輪郭の論理和を求め、その輪郭から傾き角度を検出することによって実現できる。
【００４１】
なお、原稿の大きさや傾きを検出する場合、輪郭を抽出できれば、論理和を取ることなく原稿の大きさや傾きを検出することが可能であり、この場合には、片面の画像データだけでも原稿の大きさや傾きを検出することができる。また、これは片面読取の場合に限ることなく、両面読取の場合も、このような片面画像データを用いた処理を行ってもよい。
【００４２】
ところで、これまでの説明では画像処理装置１０が、ＡＤＦユニット１１とフラットベッドスキャナ１２の両方を備えた場合について述べてきたが、本発明は、これに限らず、フラットベッドスキャナ１２のみを備えた場合でも、画像読取作業を開始する際に手動による原稿の裏返しを行うことを予め設定できるようにすれば、原稿の裏返しが必要になるたびに表示画面等に現れる原稿の裏返しを促すメッセージ等に従い、順次両面の画像情報を読取る場合と片面読取しか行わない場合とで、両面の画像情報を用いる画像処理機能と片面の画像情報だけを用いる画像処理機能のどちらを選択するかを認識できるので、本発明の適用が可能となる。
【００４３】
即ち、手動による原稿の裏返しを行うことによって両面画像データを得るモードと、手動による原稿の裏返しを行わずに片面の画像データを得るモードと、をユーザーが設定可能にして、両面画像データを得るモードが設定されたときには既述の第１の画像処理を行い、片面の画像データを得るモードが設定されたときには第２の画像処理を行うように、ＣＰＵが自動的に選択して実行するように構成すればよい。
【００４４】
また、スキャナとＰＣ等の情報処理機器を接続して構成した画像処理システムも本発明の範囲に含まれる。この場合は、本発明に係る画像処理装置を情報処理機器側に設けたハードウエアとする、または既述した画像処理を情報処理機器で実行されるソフトウエアの機能の一部として実現するようにする。
【図面の簡単な説明】
【００４５】
【図１】本発明の実施の形態に係る画像処理装置の概観斜視図。
【図２】上記画像処理装置のシステムブロック図。
【図３】上記画像処理装置における表裏両面画像を用いた裏写り軽減処理を示した図。
【図４】上記画像処理装置における片面画像を用いた裏写り軽減処理を示した図。
【図５】上記画像処理装置における両面領域指定スキャンを説明する図。
【図６】上記画像処理装置における画像処理動作を説明するフローチャート。
【符号の説明】
【００４６】
１０      画像処理装置
１１      ＡＤＦユニット
１２      フラットベッドユニット
２２      ＣＰＵ
２４      ＲＡＭ
２５      表面読み取りセンサ
２６      裏面読み取りセンサ
２７      フラットベッド読み取りセンサ
３１      原稿裏面画像
３２      原稿表面画像
３３      鏡面裏写り予想画像
３４      裏写り予想画像
３５      裏写り軽減処理後画像
【図１】
2006237999.tif 000003
【図２】
2006237999.tif 000004
【図３】
2006237999.tif 000005
【図４】
2006237999.tif 000006
【図５】
2006237999.tif 000007
【図６】
2006237999.tif 000008